(57)【特許請求の範囲】
【請求項１】
スタンパが載置されたスタンパ交換ユニット部品を下側可動型板と上側固定型板とにより挟持し、スタンパと下側可動型板との間に形成されるキャビティに成形材料を流入させて成形した成形品を、下側可動型板の中央部に同心円的に隣接して設けられたクランプエリアインサートのエアー流通孔からのエアーブローと、金型中子の突き出しピンとによって、金型から成形品を離型する縦形射出成形機用光ディスク成形金型において、クランプエリアインサート内の複数のエアー流通孔からのエアーを、リングが複数の仕切り板で分割されたリング状エアー吹き出し口からクランプエリアインサートと金型中子の隙間を通って成形品下面に行き渡らせる縦形射出成形機用光ディスク成形金型。
【発明の詳細な説明】
【０００１】
【発明の属する技術分野】
本発明は、エアーブローによって金型から成形品を離型する縦形射出成形機用光ディスク成形金型に関するものである。
【０００２】
【従来の技術】
一般に、縦形射出成形機用光ディスク成形金型は、図３の縦形射出成形機用光ディスク成形金型の一部分解側断面図に示すように、スタンパ交換ユニット部品１と、そのスタンパ交換ユニット部品１を挟持する下側可動型板２と上側固定型板３とよりなる。
【０００３】
スタンパ交換ユニット部品１は、固定側ミラーインサート４の鏡面状のスタンパ取り付け面５上にスタンパ６が載置され、そのスタンパ６の中央部がスタンパホルダ７により、外周部が外周リング８によりそれぞれ固定側ミラーインサート４に固定されている。
【０００４】
下側可動型板２は、前記スタンパ交換ユニット部品１に取り付けれられたスタンパ６に対向する面が鏡面に仕上げられた可動側ミラーインサート９が設けられ、中央部には、クランプエリアインサート１０と、突き出しピン１１等よりなる金型中子１２とが同心円的に隣接して設けられ、クランプエリアインサート１０には、クランプエリアインサート１０と金型中子１２の隙間を通って成形品下面に到達するエアーを吹き出すリング状エアー吹き出し口１３につながったエアー流通孔１４が貫通している。
【０００５】
上側固定型板３は、前記スタンパ交換ユニット部品１の固定側ミラーインサート４に対向する面を有する固定側プレート１５が設けられ、中央部にはスタンパ６と可動側ミラーインサート９の鏡面との間に形成されるキャビティにつながる湯道１６が貫通している。
【０００６】
上記構成の縦形射出成形機用光ディスク成形金型において、キャビティに形成された成形品を金型から突き離すには、突き出しピン１１で突き離すと同時に、クランプエリアインサート１０を貫通しているエアー流通孔１４からのエアーをリング状エアー吹き出し口１３からクランプエリアインサート１０と金型中子１２の隙間を通って成形品下面の全面に行き渡らせ、成形品の特定の箇所だけに力が加わらないようにしている。
【０００７】
しかしながら、上記構成の縦形射出成形機用光ディスク成形金型は、図２（ａ）の一部拡大上面図と図２（ｂ）の一部拡大側断面図に示すように、クランプエリアインサート１０と同心円的に隣接して設けられるべき金型中子１２が、製作時の精度の問題および金型中子１２を取り巻くリング状エアー吹き出し口１３からのエアーブローが１系統であるため、エアー圧力により芯が微小に振れ、クランプエリアインサート１０と金型中子１２の隙間が一方では広く、他方では狭いという状態が生じ、隙間を流通するエアーの量が場所によって異なるため、エアーの片寄りにより、キャビティに形成される成形品１７の下面に対するエアーの作用が不均一になり、成形品１７が変形することがあった。
【０００８】
【発明が解決しようとする課題】
以上のように、従来の縦形射出成形機用光ディスク成形金型では、金型から成形品を離型するためには、突き出しピンによる以外に、金型と成形品との間に、エアーブローを行うことにより、離型を助けるが、エアーブローの流通径路が１系統であるため、場所によりエアーの流通量が不均一になり、エアーブローの片寄りが発生し、成形品が変形するトラブルが起こっている。
【０００９】
本発明の縦形射出成形機用光ディスク成形金型は、上記従来の問題点を解決するもので、金型から成形品を離型するエアーの流通量を均一化し、成形品の変形を防止することを目的とする。
【００１０】
【課題を解決するための手段】
この目的を達成するために、本発明は、金型部品に形成したエアー流通孔からのエアーを、その金型部品と同心的に設けられた金型中子との隙間を通じて金型と成形品の間にエアーブローとして流通させることにより、金型から成形品を離型させる縦形射出成形機用光ディスク成形金型において、金型中子のまわりにエアーブローの流通径路を複数系統設けた縦形射出成形機用光ディスク成形金型であり、金型から成形品を離型するエアーの流通量を均一化し、成形品の変形を防止することができる。
【００１１】
【発明の実施の形態】
本発明の請求項１に記載の発明は、スタンパが載置されたスタンパ交換ユニット部品を下側可動型板と上側固定型板とにより挟持し、スタンパと下側可動型板との間に形成されるキャビティに成形材料を流入させて成形した成形品を、下側可動型板の中央部に同心円的に隣接して設けられたクランプエリアインサートのエアー流通孔からのエアーブローと、金型中子の突き出しピンとによって、金型から成形品を離型する縦形射出成形機用光ディスク成形金型において、クランプエリアインサート内の複数のエアー流通孔からのエアーを、リングが複数の仕切り板で分割されたリング状エアー吹き出し口からクランプエリアインサートと金型中子の隙間を通って成形品下面に行き渡らせる縦形射出成形機用光ディスク成形金型であり、エアーを吹き出すリング状エアー吹き出し口のリングが複数の仕切り板で分割されていることにより、金型中子のまわりに均一なエアー圧力がかかり、金型中子を中央に保持することができ、金型中子のまわりのエアーの流通量が均一化され、金型から成形品を離型させるために、成形品に加わるエアーも均一化されるという作用を有する。
【００１３】
以下、本発明の実施の形態について図面を参照して説明する。
【００１４】
（実施の形態）
図１（ａ）は本発明の実施の形態における縦形射出成形機用光ディスク成形金型の一部拡大上面図、図１（ｂ）は同一部拡大側断面図であり、共に、図３に示す一般の縦形射出成形機用光ディスク成形金型の一部である。
【００１５】
図１（ａ），図１（ｂ）において、従来の縦形射出成形機用光ディスク成形金型の一部拡大上面図、一部拡大側断面図を示す図２（ａ），図２（ｂ）と同じ部分には同じ符号を付して説明する。
【００１６】
１０は、図３の下側可動型板２の中央部において、金型中子１２と同心円的に隣接して設けられたクランプエリアインサート、１１は、金型中子１２の外周部に設けられた突き出しピン、１３は、クランプエリアインサート１０を貫通する複数のエアー流通孔１４につながり、クランプエリアインサート１０と金型中子１２の隙間から金型中子１２のまわりにエアーを吹き出すリング状エアー吹き出し口、１７は、図３のスタンパ６と下側可動型板２との間に形成されるキャビティに成形され、その下面に複数系統に分けられたリング状エアー吹き出し口１３から吹き出すエアーが行き渡る成形品、１８は、リング状エアー吹き出し口１３から吹き出すエアーブローの流通径路を複数系統に分けるために、リング状エアー吹き出し口１３のリングに設けた複数の仕切り板である。
【００１７】
上記構成の縦形射出成形機用光ディスク成形金型において、図３のスタンパ６と下側可動型板２との間に形成されるキャビティに成形された成形品１７を金型から離型するには、金型中子１２の突き出しピン１１を突き上げて、成形品１７の下面を金型から突き離すと共に、クランプエリアインサート１０を貫通する複数のエアー流通孔１４からのエアーを、仕切り板１８で複数の流通径路に分割されたリング状エアー吹き出し口１３から、クランプエリアインサート１０と金型中子１２の隙間を通って成形品１７の下面に行き渡らせることによって、成形品１７の下面を金型から引き離すものであり、この場合、リング状エアー吹き出し口１３から吹き出すエアーブローは複数の系統に分けられているため、リング状エアー吹き出し口１３から出たエアーによる金型中子１２のまわりにかかる圧力は均一なものになり、エアー圧力の片寄りにより金型中子１２の芯が振れることがなく、金型中子１２を中央に保持することができ、従って、クランプエリアインサート１０と金型中子１２の隙間が一方では広く、他方では狭いという状態の発生もなくなり、隙間を流通するエアーの量が均一になるため、成形品１７の下面全面にわたり、均一なエアーが行き渡り、金型から成形品１７を離型する力に、場所による不均一性がなくなり、成形品１７の変形を防止できるものである。
【００１８】
【発明の効果】
以上のように、本発明の縦形射出成形機用光ディスク成形金型によれば、金型部品と金型中子との隙間を通るエアーブローにより成形品を金型から離型する際に、金型中子を中央に保持することができるため、エアーブローの通る隙間が均一になり、成形品の下面に加わるエアーも均一化され成形品の変形を防止することができるという効果を有する。
【図面の簡単な説明】
【図１】（ａ）本発明の実施の形態における縦形射出成形機用光ディスク成形金型の一部拡大上面図
（ｂ）本発明の実施の形態における縦形射出成形機用光ディスク成形金型の一部拡大側断面図
【図２】（ａ）従来の縦形射出成形機用光ディスク成形金型の一部拡大上面図
（ｂ）従来の縦形射出成形機用光ディスク成形金型の一部拡大側断面図
【図３】一般の縦形射出成形機用光ディスク成形金型の一部分解側断面図
【符号の説明】
１  スタンパ交換ユニット部品
２  下側可動型板
３  上側固定型板
４  固定側ミラーインサート
５  スタンパ取り付け面
６  スタンパ
７  スタンパホルダ
８  外周リング
９  可動側ミラーインサート
１０  クランプエリアインサート
１１  突き出しピン
１２  金型中子
１３  リング状エアー吹き出し口
１４  エアー流通孔
１５  固定側プレート
１６  湯道
１７  成形品
１８  仕切り板
【図１】
0003834206.tif 000002
【図２】
0003834206.tif 000003
【図３】
0003834206.tif 000004